(57)【特許請求の範囲】
【請求項１】
生体情報を保存し、前記生体情報は唯一カード所有者の身分を識別できるものである透明生体情報セクションと、
カード所有者の生体情報を用いて付与された固有のカード番号であり、カード所有者が入力した生体情報がセキュリティカードに保存されている前記生体情報と一致することが確認されないとアクセスできない固有のカード番号と、
を含み、
カード所有者が生体情報を入力するための透明入力エリアを更に含み、当該透明入力エリアの上に前記カード所有者が指を押し付け、当該透明入力エリア上の前記指の指紋又は前記指の静脈紋を生体情報としてカードリーダーまたは認証機器がスキャンすることを特徴とする、カード所有者の身分確認のための不正防止セキュリティカード。
【請求項２】
前記透明生体情報セクションが前記セキュリティカードの全ての縁まで拡張していることを特徴とする、請求項１に記載のカード所有者の身分確認のための不正防止セキュリティカード。
【請求項３】
前記透明生体情報セクションが不正防止セキュリティカードのカード本体を３つの不透明セクションに分けていることを特徴とする、請求項１に記載のカード所有者の身分確認のための不正防止セキュリティカード。
【請求項４】
唯一カード所有者を識別できる生体情報を保存するのに用いるＩＣチップを更に含むことを特徴とする、請求項１に記載のカード所有者の身分確認のための不正防止セキュリティカード。
【請求項５】
前記ＩＣチップはまたカード所有者の情報を保存することを特徴とする、請求項４に記載のカード所有者の身分確認のための不正防止セキュリティカード。
【請求項６】
データ或いはファームウェアを保存するための複数のＩＣチップを更に含むことを特徴とする、請求項１に記載のカード所有者の身分確認のための不正防止セキュリティカード。
【請求項７】
前記ＩＣチップは連続的に配列されて、入力された情報とＩＣチップに保存された情報が一致しない場合、連続するＩＣチップにアクセスできないことを特徴とする、請求項６に記載のカード所有者の身分確認のための不正防止セキュリティカード。
【請求項８】
カードリーダーで前記不正防止セキュリティカードを機能させることができる複数の導電片を更に含むことを特徴とする、請求項１に記載のカード所有者の身分確認のための不正防止セキュリティカード。
【請求項９】
前記セキュリティカード中に設けられ前記不正防止セキュリティカードを変更或いは改ざんすることを防止する１つ或いは複数の導電素子を更に含むことを特徴とする、請求項１に記載のカード所有者の身分確認のための不正防止セキュリティカード。
【請求項１０】
生体情報の第一セットを保存し、前記第一セットの生体情報はカード所有者の身分を唯一識別できるものである透明生体情報セクションと、
生体情報の第二セットを保存し、前記第二セットの生体情報はカード所有者の身分を唯一識別できるものである少なくとも１つのＩＣチップと、
固有のカード番号であり、カード所有者の生体情報を用いて付与され、カード所有者が１回目に入力した生体情報とセキュリティカード中に保存された前記第一セットの生体情報が一致し、且つ、２回目に入力した生体情報とセキュリティカード中に保存された前記第二セットの生体情報が一致することを確認してからでないとアクセスできない固有のカード番号と、
を含み、
前記カード所有者が生体情報を入力するための透明入力エリアを更に含み、当該透明入力エリアの上に前記カード所有者が指を押し付け、当該透明入力エリア上の前記指の指紋又は前記指の静脈紋を生体情報としてカードリーダーまたは認証機器がスキャンすることを特徴とする、カード所有者の身分確認のための不正防止セキュリティカード。
【請求項１１】
透明生体情報セクションが前記セキュリティカードの全ての縁まで拡張していることを特徴とする、請求項１０に記載のカード所有者の身分確認のための不正防止セキュリティカード。
【請求項１２】
前記生体情報セクションが不正防止セキュリティカードのカード本体を３つの不透明セクションに分けることを特徴とする、請求項１０に記載のカード所有者の身分確認のための不正防止セキュリティカード。
【請求項１３】
前記第一セットの生体情報及び第二セットの生体情報は等しいものであることを特徴とする、請求項１０に記載のカード所有者の身分確認のための不正防止セキュリティカード。
【請求項１４】
前記ＩＣチップはまた前記カード所有者の情報を保存することを特徴とする、請求項１０に記載のカード所有者の身分確認のための不正防止セキュリティカード。
【請求項１５】
データ或いはファームウェアを保存するための複数のＩＣチップを更に含み、複数の前記ＩＣチップは連続的に配列されて、入力された情報とＩＣチップに保存された情報が一致しない場合、連続するＩＣチップにアクセスできないことを特徴とする、請求項１０に記載のカード所有者の身分確認のための不正防止セキュリティカード。
【請求項１６】
カードリーダーで前記セキュリティカードを機能させることができる複数の導電片と、前記セキュリティカード中に設けられ前記不正防止セキュリティカードを変更或いは改ざんすることを防止する複数の導電素子を更に含むことを特徴とする、請求項１０に記載のカード所有者の身分確認のための不正防止セキュリティカード。
【発明の詳細な説明】
【技術分野】
【０００１】
本発明はＩＤ及び支払い機能付きカードと、カード所有者の身分確認方法に関するものであって、特に改ざんや複製ができない、生体情報を保存した不正防止セキュリティカードに関するものである。
【背景技術】
【０００２】
クレジットカードは世界で広く使用されており、商品購入やサービスがより便利になり、クレジットカードがあれば使用者は買い物をする時現金を持ち歩く必要がない。
【０００３】
しかし、クレジットカードの盗難や詐欺が急速にクレジットカード所持者及び金融機関にとって大きな問題になってきている。クレジットカードが盗まれた場合、窃盗者はカード所有者の署名を真似て書くだけでよく、クレジットカードの裏面には署名がはっきりと明示されているので、署名の偽造はかなり容易である。従って窃盗者は容易に前記クレジットカードを使用でき、カード所有者は購入していない商品の代金を負担しなければならず、時には金融機関が前記購入代金を負担することになり、どちらにしてもカード所有者或いは金融機関の損失になる。
【０００４】
また、窃盗者はクレジットカード裏面の磁気帯の中に保存されている所有者情報を読み取り、所有者情報を新しいブランクカード中に書き込んでクレジットカードを複製し、これらの複製されたカードは窃盗者に使用されたり、売られたりする。
【０００５】
盗難クレジットカードを使用した如何なる購買行為も全てカード所有者のアカウントに支払い請求され、カード所有者が金融機関にクレジットカードが盗まれた事、或いは紛失した事を通知してからカードが使用停止される。
【０００６】
複製された偽造カードの例では、カード所有者は翌月の利用明細書を受け取って初めてこの状況に気がつくので、カード所有者の請求金額は最大限度額にまで達する。
【０００７】
いずれの状況下でもカード所有者か金融機関のどちらかが購入代金を支払うことになり、カード所有者或いは金融機関の損失となる。
【０００８】
図１Ａは先行技術中の従来型クレジットカードの表面を示す図である。
【０００９】
図１Ａが示すように、従来型クレジットカード１００の表面には前記クレジットカード１００を発行した金融機関のロゴ１１０が含まれ、カード所有者氏名１２０及びカード番号１３０がクレジットカードの下方に表示されている。
【００１０】
図１Ｂは先行技術中の従来型クレジットカードの裏面を示す図である。
【００１１】
従来型クレジットカード１００の裏面には磁気帯１４０が含まれ、その中には金融機関がクレジットカード１００を顧客に発行する前に予め保存しておいた磁気帯１４０中のアカウント情報が含まれている。
【００１２】
クレジットカード１００の裏面はまた、所有者が署名１６０をするための署名欄１５０が含まれている。上記のことから、従来型クレジットカード１００は窃盗者に所有者署名１６０の見本を提供し、レジ係が前記カードを受け付けられるくらい近似した署名ができるよう練習の機会を与えてしまう。
【００１３】
図１Ｃは先行技術中のクレジットカード確認のためのネットワークを示す図であり、図１Ｄは先行技術中のクレジットカード使用の従来の方法を示すフローチャートである。
【００１４】
クレジットカード使用の従来のシステム１７０は顧客がクレジットカードをレジ係に提示することが含まれており、ステップ１８１中ではレジ係がカードリーダー１７１によってクレジットカードを読み取り、カードリーダー１７１はクレジットカードの磁気帯中に保存されたアカウントデータを読み取り、続いてステップ１８２ではアカウントデータは電話回線１７２を通じてアカウントデータベースを備えたセントラルサーバー１７３に送信され、ステップ１８３ではセントラルサーバー１７３は顧客のアカウントに支払いに十分な金額を有しているかを確認し、ステップ１８４で確認通知はカードリーダー１７１に送信される。
【００１５】
ステップ１８５では請求書をプリントアウトし、ステップ１８６では使用者が請求書上に署名し、続いてステップ１８７ではレジ係がカード裏面の署名と請求書上の署名を照らし合わせ、レジ係が両者は一致すると感じた時、ステップ１８８で顧客に請求書控えと領収書を渡す。レジ係は主観的意識で署名の真偽を判断するので、ミスがよく発生する。
【００１６】
従来型カードとシステムのもう１つの欠点は、データがセントラルサーバーに保存されることにあり、このため、ハッカーがサーバーに侵入して情報が盗まれることになる。場合によっては、本発明中ではカード番号、顧客番号等のデータ或いは情報はセントラルサーバー上に保存されるが、生体情報等の個人情報はセントラルサーバー中には保存されない。
【００１７】
従って、セキュリティカードの複製や改ざんを防止、身分を確認、盗難や悪用の防止の手段の改善が必要である。具体的な構造とその実施形態は以下に詳述する。
【発明の概要】
【発明が解決しようとする課題】
【００１８】
本発明の長所を達成し、先行技術の技術的欠点を克服するため、本発明は改ざん、複製、未許可使用を防止し、カード所有者の使用権限を唯一特定或いは確認するカード所有者の生体情報を含む、不正防止セキュリティカードを提供する。
【課題を解決するための手段】
【００１９】
生体情報は例えば、指静脈紋、手のひら静脈紋、指紋、虹彩、或いは目、手形、顔面、ＤＮＡデータ或いはこれらの組合せから成る。
【００２０】
セキュリティカードを発行する前に、カード発行者は使用者の生体情報サンプルを入手し、生体情報はセキュリティカード中或いは上のメモリーに保存され、セキュリティカード使用時はセキュリティカードに保存された生体情報と使用者が提供する生体情報の比較を行う。例えば、生体情報が右手中指の指紋の場合、使用者は自身の右手中指を指紋認証機器上に置き、データの比較照合が行われる。これによって、たとえセキュリティカードが紛失されたり盗難に遭ったりしても、如何なる他人の生体情報もカード所有者の生体情報と一致することはなく、このため他者は使用できない。
【００２１】
セキュリティカードはカード所有者固有のカード番号を含み、この固有カード番号は使用者の生体情報に基づきカード発行機関によって付与されたもので、入力された生体情報とカード所有者の生体情報が不一致の場合、前記カード番号にはアクセスできない。
【００２２】
「不正防止」を達成する方法は、使用者本人が有する生体情報によって付与された固有カード番号に基づくものであって、さもなければ全てのプロセスは失敗し、セキュリティカードは改ざんも変更もできない。例えば、固有番号の保護がなければ、窃盗者は偽造用ブランクカードを用いて自分の生体情報をメモリーに入力し、生体情報セクション上にバイオデータパターンをエッチングし、全てが窃盗者自身のデータになってしまい、その人物の身分認証は成功してしまう。固有カード番号はカード所有者の生体情報によって付与されたものであるため、メモリー中の生体情報に置換えてセキュリティカード上にバイオデータパターンをエッチングしても、改ざんや不正使用によってカードを悪用するのに十分ではない。ゆえに、本発明は不正防止セキュリティカードを提供することになる。
【００２３】
また、固有カード番号はレーザーエッチング或いはその他の方法でカード上或いはカード内に付与されたもので、一部分はバイオデータ比較のために使用される。
【００２４】
更に、固有カード番号は生体情報から推定されたりデコードされたりできない。
【００２５】
本発明の実施例中のセキュリティカードはクレジットカードであり、カード所有者が買い物をする時、カード所有者はセキュリティカードをレジ係に提示して取引手続きを行い、続いてカード所有者はスキャンやチェック等の方法で、カード所有者固有である特定の身体的特徴の１つ或いは組み合わせといった生体情報を提供する。レジ係はスキャンやカードをカードリーダー或いは認証機器にかける方式でセキュリティカードの生体情報を取得し、装置がセキュリティカードから読み取った、或いはスキャンされた生体情報と、カード所有者がその場で提供した生体情報の比較を行い、両者が一致した時、身分確認が完了する。
【００２６】
本発明の利点は、あるデータ或いは情報がネットワークを通じて交換されたとき、個人ＩＤ或いは生体情報はネットワークを介して送信されることはなく、身分確認は認証機器によってその場で行われ、ＩＤやカード所有者のデータが盗まれることを避けられる。
【００２７】
本発明のもう１つの実施例中ではセキュリティカードはＩＤカードであり、カード所有者はＩＤカードを認証機器に挿入し、その生体情報を提供し、また静脈紋或いは指紋のように、認証機器はＩＤカード中に保存された生体情報とカード所有者が提供した生体情報を比較照合し、データが一致すれば認証機器がカード所有者の身分を確認したことになる。
【００２８】
本発明のもう１つの利点は、カード所有者だけが何の生体情報を提供する必要があるのか知っている点である。入力された生体情報が広範囲に及ぶ可能性があるので、安全性が高まり、たとえ盗まれても、窃盗者はどんな生体情報を使用すべきかわからないのである。
【００２９】
本発明のセキュリティカードはカード中のパターン、導電配線、或いは生体情報を含んだチップが置き換えられないようにするその他の手段を含み、このチップはセキュリティカード上から取り除いたりその他のチップと換えたりすることができず、セキュリティカード上では如何なる改ざんも容易に検知されてしまう。このため、セキュリティカードは、所有者本人以外使用不可能である。
【発明の効果】
【００３０】
本発明の提案する生体情報を保存した不正防止セキュリティカード及びその使用方法は、クレジットカードの改ざん或いは複製を防止でき、使用者個人のＩＤを確認して窃盗者の悪用を免れることができる。
【図面の簡単な説明】
【００３１】
【図１Ａ】先行技術中の従来型クレジットカードの表面を示す図である。
【図１Ｂ】先行技術中の従来型クレジットカードの裏面を示す図である。
【図１Ｃ】先行技術中のクレジットカード確認のためのネットワークを示す図である。
【図１Ｄ】先行技術中のクレジットカード使用の従来の方法を示すフローチャートである。
【図２Ａ】本発明実施例中のセキュリティカードの表面を示す図である。
【図２Ｂ】本発明実施例中のセキュリティカードの裏面を示す図である。
【図２Ｃ】本発明実施例中のセキュリティカードの裏面を示す図である。
【図２Ｄ】本発明実施例中のセキュリティカードの裏面を示す図である。
【図２Ｅ】本発明実施例中のセキュリティカードの表面を示す図である。
【図２Ｆ】本発明実施例中のセキュリティカードの表面を示す図である。
【図２Ｇ】本発明実施例中のセキュリティカードの使用方法を示すフローチャートである。
【図２Ｈ】本発明実施例中のセキュリティカードの使用方法を示すフローチャートである。
【図２Ｉ】本発明実施例中のセキュリティカードの表面を示す図である。
【図２Ｊ】本発明実施例中のセキュリティカードの表面を示す図である。
【図２Ｋ】本発明実施例中のセキュリティカードの表面を示す図である。
【図３】本発明実施例中のセキュリティカードの使用方法を示すフローチャートである。
【図４Ａ】本発明実施例中のセキュリティカードの使用方法を示すフローチャートである。
【図４Ｂ】本発明実施例中のセキュリティカードの使用方法を示すフローチャートである。
【図４Ｃ】本発明実施例中のセキュリティカードの使用方法を示すフローチャートである。
【図４Ｄ】本発明実施例中のセキュリティカードの使用方法を示すフローチャートである。
【図４Ｅ】本発明実施例中のセキュリティカードの使用方法を示すフローチャートである。
【図４Ｆ】本発明実施例中のセキュリティカードの使用方法を示すフローチャートである。
【図４Ｇ】本発明実施例中のセキュリティカードの使用方法を示すフローチャートである。
【図５Ａ】本発明実施例中のセキュリティカードの使用方法を示すフローチャートである。
【図５Ｂ】本発明実施例中のセキュリティカードの使用方法を示すフローチャートである。
【図６Ａ】本発明実施例中の不正防止セキュリティカードを示す図である。
【図６Ｂ】本発明実施例中の不正防止セキュリティカードの垂直断面図である。
【図６Ｃ】本発明実施例中の不正防止セキュリティカードの垂直断面図である。
【図６Ｄ】本発明実施例中の不正防止セキュリティカードを示す図である。
【図６Ｅ】本発明実施例中の不正防止セキュリティカードを示す図である。
【図６Ｆ】本発明実施例中の不正防止セキュリティカードを示す図である。
【図７】本発明実施例中の不正防止セキュリティカードを示す図である。
【図８】本発明実施例中の導電片を備えた不正防止セキュリティカードを示す図である。
【図９Ａ】本発明実施例中の複数のＩＣチップを備えた不正防止セキュリティカードを示す図である。
【図９Ｂ】本発明実施例中の複数のＩＣチップを備え、その上の複数のＩＣチップはゲート階段ロジックで配列されている不正防止セキュリティカードを示す図である。
【図１０】本発明実施例中の複数の導電配線を備えた不正防止セキュリティカードを示す図である。
【発明を実施するための形態】
【００３２】
本発明の目的、技術内容、特色、その他の効果の理解のために、以下に具体的な実施例を挙げて詳しく説明する。
【実施例】
【００３３】
本発明は、生体情報を保存した不正防止セキュリティカード及びその使用方法を提供する。前記セキュリティカードはそれぞれのカード所有者固有のカード番号を含み、この固有カード番号は、カード発行機関が前記使用者の生体情報を使用して付与し、入力された生体情報がカード所有者の生体情報であることが認証されるまでは、カード番号にアクセスできない。
【００３４】
「不正防止」を達成するのに用いられる方法は、使用者自身の生体情報によって付与され、解釈（ｉｎｔｅｒｐｒｅｔ）された固有カード番号に基づいており、そうでなければ、全てのプロセスは失敗し、カードは変更或いは改ざんができない。例えば固有カード番号の保護がないと、窃盗者はブランクカードを使用して自分の生体情報をメモリーに記録し、生体情報セクションにバイオデータパターンをエッチングすることができ、全ては窃盗者自身のデータになってしまい、身分確認も成功してしまう。しかし、固有カード番号は埋め込まれた（ｉｎｄｅｎｔｅｄ）カード所有者の生体情報を用いて付与されたものであるため、メモリー中の生体情報へ置換えてセキュリティカード上にバイオデータパターンをエッチングしても、改ざんや不正使用によってカードを悪用するのに十分ではない。従って、本発明は不正防止セキュリティカードを提供することになる。
【００３５】
また、固有カード番号はレーザーエッチング或いはその他の方法でカード上或いはカード内に付与されたもので、一部分はバイオデータ比較のために使用される。
【００３６】
更に、固有カード番号は生体情報から推定されたりでコードされたりできない。
【００３７】
図２Ａは本発明実施例中のセキュリティカードの表面を示す図である。
【００３８】
図２Ａの実施例では、本発明のセキュリティカード２００はロゴ２１０或いはセキュリティカード発行元の名称を含み、前記ロゴは例えば金融機関の名称或いは会社名でもよく、セキュリティカード２００表面はまた、カード所有者の氏名２２０とカード番号２３０或いは使用者番号を含み、セキュリティカード２００内に取り付けられた或いは埋め込まれたメモリーチップ２４０を備える。使用者がこのセキュリティカード２００を申し込む際、前記使用者はいくらかの生体情報のサンプル或いは見本を提供し、同じ生体情報を有する者は２人といないので、この生体情報で唯一の使用者を識別することができる。前記生体情報はセキュリティカード２００のメモリー２４０内に保存される。前記セキュリティカード２００が使用されるとき、カード所有者は自身の生体情報を提供或いは入力し、この入力とメモリ２４０に保存された生体情報との比較照合が行われ、両者が一致した場合、カード所有者の身分が確認されたことになる。
【００３９】
図２Ｂは本発明実施例中のセキュリティカードの裏面を示す図である。
【００４０】
図２Ｂの実施例中に示された本発明のセキュリティカード２００の裏面は、磁気帯２５０と署名欄２６０を含み、情報は磁気帯２５０に保存される。前記情報はセキュリティカードが使用されたとき読み出され、署名欄２６０には使用者の氏名２７０が署名される。
【００４１】
前記カード所有者の情報は、アカウント情報、アカウント番号、個人識別番号、従業員番号、セキュリティレベル、ランク、金融機関識別、カード番号、カード発行機関識別、会社名称、或いは以上の組合せを含む。
【００４２】
図２Ｃは本発明実施例中のセキュリティカードの裏面を示す図である。
【００４３】
もう１つの実施例中では、前記署名欄の表示は無く、カード所有者の署名は見えないため、安全性が強化される。この実施例では、セキュリティカードが使用された時、カード所有者の署名はセキュリティカードのメモリー内部の署名データと比較照合される。この過程はレジ係が肉眼で比較照合を行うよりも精確だと言える。この実施例では、生体情報入力と前記カードに保存された生体情報がまず比較照合され、両者が同じものだと認証されてから、前記カード中に保存された署名とカード所有者が提供する署名の比較照合が行われる。全てのデータは生体情報が確認されてから読み出されることで、保存された署名と複製された署名が比較照合されるのを防ぐ。こうして窃盗者が保存された署名を複製できないようにする。
【００４４】
もう１つの実施例中には署名欄がなく、セキュリティカード使用時に署名する必要がない。生体情報はより複雑で、複製が不可能なため、カードメモリー中の生体情報と使用者が提供する生体情報を比較照合することで、十分な安全性を提供できる。
【００４５】
図２Ｄは本発明実施例中のセキュリティカードの裏面を示す図である。
【００４６】
図２Ｄ中の実施例には、磁気帯と署名欄が示されていない。実施例中では、普通は磁気帯に保存されたこれらの情報は生体情報は同じくセキュリティカードのメモリー内に保存される。これらの情報は生体情報の確認後でないと読み取れないので、安全性がより強化される。その一方、磁気帯内に保存された情報はカード所有者が入力する必要が無く、カードリーダーで読み取れる。
【００４７】
図２Ｅは本発明もう１つの実施例中のセキュリティカードの表面を示す図である。
【００４８】
本発明のもう１つの実施例では、セキュリティカード２００の表面はロゴ２１０、所有者氏名２２０、カード所有者の生体情報が保存されたメモリー２４０を含む。この実施例では、セキュリティカード２００にはカード所有者のカード番号或いは識別番号は表示されない。
【００４９】
図２Ｆは本発明実施例のセキュリティカードの表面を示す図である。
【００５０】
図２Ｆの実施例では、カード所有者の氏名とカード番号はセキュリティカード２００上には表示されない。こうするとカード所有者以外誰もこのセキュリティカードを誰が所有するかわからないので、安全性が強化される。保存された生体情報と入力された生体情報が一致することが認証されないとカード所有者の氏名とアカウントデータにはアクセス不可能である。
【００５１】
図２Ｇは本発明実施例中のセキュリティカードの使用方法を示すフローチャートである。
【００５２】
図２Ｇが示すように、セキュリティカード２８０の使用方法は、以下のステップを含む。ステップ２８１ではセキュリティカードを認証機器に挿入し、続いてステップ２８２ではカード所有者は生体情報を入力して提供する。ステップ２８３では認証機器が入力された生体情報とセキュリティカード中に保存された生体情報を比較照合し、もしデータが一致したらステップ２８４で前記認証機器が使用者の身分を確認する。所有者の身分が認証されたら、ステップ２８５でアカウント情報はアカウント確認センターに送られ、ステップ２８６で確認センターは認証機器に確認返信をし、ステップ２８７はカード所有者に領収書を提供する。
【００５３】
この実施例では、カード所有者のアカウント情報はカード所有者の身分が確認されるまで送られない。こうすることで、使用者の身分がその人の署名により確認される前にアカウント情報がセントラルサーバーに送られる従来の方法よりも優れた安全性を提供する。
【００５４】
図２Ｈは本発明実施例中のセキュリティカードの使用方法を示すフローチャートである。
【００５５】
図２Ｈが示すようにセキュリティカード２８０の使用方法は以下のステップを含む。ステップ２８１ではセキュリティカードを認証機器に挿入し、続いてステップ２８２ではカード所有者は生体情報を入力して提供する。ステップ２８３では認証機器が入力された生体情報とセキュリティカード中に保存された生体情報を比較照合し、もしデータが一致したらステップ２８４で前記認証機器が使用者の身分を確認する。この実施例ではネットワークを通じて送られる情報は無く、確認プロセスは認証機器でローカルに実行さる。こうするこりでカード所有者に優れた安全性を提供する。カード所有者の如何なるデータもネットワーク或いはサーバー上に保存されないので、カード所有者のデータが盗まれたり悪用されることはない。
【００５６】
図２Ｉは本発明実施例中のセキュリティカードの表面を示す図である。
【００５７】
図２Ｉの実施例では、セキュリティカードは、ロゴ２１０、メモリー２４０、カード所有者にその人の生体情報を入力させる透明入力エリア２９０を含む。例えば、セキュリティカードが認証機器に挿入された後、カード所有者は一本の指をこの透明入力エリア２９０上に押し付け、認証機器は指紋をスキャンしてセキュリティカード２００内のメモリー２４０に保存された指紋データとの比較照合を行う。
【００５８】
この実施例では、指は直接認証機器に触れないので、前記指紋は転写されることはない。例えば、前記認証機器の表面がガラスで、且つ前記カード所有者がスキャンのために自分の指をガラス上に押し付けた場合、ガラス上に指紋が残る可能性がある。難しいことではあるが、窃盗者はガラス上から指紋のコピーを入手する可能性がある。しかしこの実施例では、カード所有者は自分の指紋を、カード所有者の指と認証機器の表面の間にある透明入力エリア２９０上に押し付ける。もし指紋が転写された場合、それは認証機器上ではなく透明入力エリア２９０上に残る。前記透明入力エリア２９０は拭き取って指紋の跡を簡単に除去することができる。
【００５９】
図２Ｊは本発明実施例中のセキュリティカードの表面を示す図である。
【００６０】
本発明実施例では、セキュリティカード２００は複数の透明入力エリアを含む。図２Ｊの実施例では、セキュリティカード２００は第一透明入力エリア２９０と第二透明入力エリア２９１を含み、こうすることで２つの生体情報を同時に入力できるようにする。複数の生体情報をそれぞれ入力する必要があるため、安全性が高まる。本発明の他の実施例では、セキュリティカードは２つ以上透明入力エリアを含む。例えば、４つの透明入力エリアを含んだセキュリティカードは両手の４本の指を同時に入力できるようにし、或いは、８つの透明入力エリアを含んだセキュリティカードは両手の８本の指を同時に入力できるようにする。
【００６１】
図２Ｋは本発明実施例中のセキュリティカードの表面を示す図である。
【００６２】
この実施例では、如何なる情報もセキュリティカード２００上に表示されていない。セキュリティカード２００はメモリー２４０を含むのみで、カード所有者の生体情報はこの中に保存されている。前記実施例は、所有者の署名、氏名、カード番号がカード上に表示されていないので、最も高い安全性を提供する。もしこのカードが盗まれても、窃盗者はこのカードは誰が所有するのかわからないので、このカードは窃盗者にとって何の役にも立たない。また、カード発行者或いは会社のロゴも表示されていないので、誰もこのカードがどのように使用されるかわからない。カード上には何の情報も見当たらないので、カード所有者本人以外、だれもこのカードがどこで或いはどのように使用できるかわからない。
【００６３】
本発明実施例では、個人識別番号或いはパスワードがセキュリティカードのメモリー内に保存され、前記カード所有者は個人識別番号或いはパスワードを生体情報と共に入力し確認プロセスを完了する。
【００６４】
図３は本発明実施例中のセキュリティカードを使用してカード所有者を識別する方法を示すフローチャートである。
【００６５】
前記方法３００はカード所有者の生体情報をセキュリティカード内に保存するステップ３１０から始まる。続くステップ３２０では、カードが使用されたとき、カード所有者は生体情報を入力し、ステップ３３０で入力された生体情報と保存された生体情報を比較照合してカード所有者の身分確認を行う。もしデータが一致したらカード所有者の身分は確認されたことになる。
【００６６】
図４Ａは本発明実施例中のセキュリティカードの使用方法を示すフローチャートである。
【００６７】
前記方法４００は、前記セキュリティカードを認証機器に挿入或いは置くステップ４１０から始まる。ステップ４１１Ａでは、前記使用者は複数の生体情報入力を提供或いは入力する。例えば、前記使用者は右手人差し指を静脈紋リーダー（ｖｅｉｎ  ｒｅａｄｅｒ）の中に差し込む或いは上に置く。リーダーが使用者の置いた右手人差し指の静脈紋をスキャンした後、例えば、続いて左手親指を静脈紋リーダーの中に差し込んで或いは上に置いて、前記認証機器は入力された生体情報を比較照合する。この例では、ステップ４１２で右手人差し指と左手親指の静脈紋と生体情報がセキュリティカード中に保存される。入力された生体情報が保存された生体情報と一致したら、ステップ４１３で前記使用者の身分が確認或いは認証されたことになり、且つ適当な行動或いはプロセスが実行されたことになる。例えば、前記セキュリティカードがドアを開けるのに用いられる場合、そのドアはロックが解かれ、認証された使用者が中に入れる。別の例では、前記セキュリティカードがＡＴＭを使用するのに用いられる場合、前記確認後使用者は自分のアカウントにアクセスできる。
【００６８】
本発明実施例では、複数の生体情報入力が異なる場合がある。例えば、手のひら静脈紋と指紋が入力されるとする。このれにより前記使用者は固有番号を作り順序（ｓｅｑｕｅｎｃｅ）をつけ、入力形態は前記使用者だけが知るものとする。こうすることで前記使用者とセキュリティーカード発行者にとって高い安全性を提供する。例えば、使用者が左手の手のひら静脈紋を第一入力に、右手親指を第二入力に、左手人差し指を第三入力に選択し、セキュリティカードに保存する。もしこれらの入力順序が不正確、或いはセキュリティカード中に保存された生体情報と一致しない場合、前記使用者はアクセスを拒否され、処理を継続することができない。
【００６９】
図４Ｂは本発明実施例中のセキュリティカードの使用方法を示すフローチャートである。
【００７０】
前記方法４００は、前記セキュリティカードを認証機器の中に挿入或いは上に置くステップ４１０から始まる。続くステップ４１１Ｂでは前記使用者は指或いは手のひらを提供して静脈紋スキャンを行う。ステップ４１２では認証機器が入力された静脈紋とセキュリティカード上に保存された生体情報を比較照合し、入力された生体情報と保存された生体情報が一致した場合、ステップ４１３で前記使用者の身分は確認或いは認証されたことになり、適当な行動或いはプロセスが実行される。
【００７１】
図４Ｃは本発明実施例中のセキュリティカードの使用方法を示すフローチャートである。
【００７２】
前記方法４００は、前記セキュリティカードを認証機器の中に挿入或いは上に置くステップ４１０から始まる。続くステップ４１１Ｃでは前記使用者は指或いは手のひらを提供して静脈紋スキャンを行う。ステップ４１２では認証機器が入力された静脈紋とセキュリティカード上に保存された生体情報を比較照合し、入力された生体情報と保存された生体情報が一致した場合、ステップ４１３で前記使用者の身分は確認或いは認証されたことになる。ステップ４１４では前記認証された使用者は銀行口座を選択してアクセスし、金額を振込み、引き落とし、或いは引き出しが行われる。例えば、前記セキュリティカードがＡＴＭカード或いはクレジットカードとして用いられ、購入手続きが行われている時、前記認証済みの使用者は電子取引を進めて代金を小売店に振り込むことができる。認証済みの使用者だけがアカウントにアクセスできるため、本発明のセキュリティカードは従来のクレジットカード或いはデビットカードよりも高い安全性を提供する。ステップ４１５では前記金額の振込み、引き落とし、引き出しが行われる。
【００７３】
図４Ｄは本発明実施例中のセキュリティカードの使用方法を示すフローチャートである。
【００７４】
図４Ｄで示される方法４００と図４Ｃの実施例は類似している。しかし、この実施例では、セキュリティカードはデビットカード或いは電子マネーとして用いられる。一度使用者が認証されると、その人はお金の振込みや、引き落とし、引き出し、チャージを行うことができる。
【００７５】
本発明の実施例では、前記セキュリティカードは複数の用途を有している。例えば、セキュリティカードはクレジットカード、デビットカード、入室カード、運転免許証として用いることができる。こうして使用者により柔軟で便利な使用状況を提供する。更に、複数の銀行口座或いは異なる銀行の口座に一枚のカードでアクセスできる。
【００７６】
本発明の実施例では、もし一枚のカードで複数の銀行にアクセスしたい場合、一定のデータをこれらの銀行に保存しておけば、このカードは多くのドアを開ける鍵の役目を果たす。ただし、これらのドアを開ける前に、銀行は生体確認を行う必要がある。実施例中では、一度ドアが開くと、主任級の銀行員によってデータの正確性が確認或いは承認され、或いは二重の生体確認が行われる。例えば、前記カード所有者と主任が確認により共にドアを開ける。これによって、ハッカーが銀行口座にアクセスするのを防ぐ。そして、ドアが安全に開けられた後に、ＡＴＭは生体情報と生体確認データを確認後に固有の口座番号を送信し、カード所有者は残りの手続を進めることができる。
【００７７】
図４Ｅは本発明実施例中のセキュリティカードの使用方法を示すフローチャートである。
【００７８】
図４Ｅで示される方法４００と図４Ｄの実施例は類似している。しかし、この実施例では、セキュリティカードが紛失或いは盗難に遭ったと通報されたら、前記カードの金額はもとの銀行口座に返金され、且つ前記カードはステップ４１６で無効にされる。従来のデビットカードとは異なり、使用者はカード内に貯めていたお金を持ち続けることができる。
【００７９】
本発明実施例では、銀行或いは金融機関が前記セキュリティカードに関する取引記録を保管する。前記カードが買い物のために使用された時、前記銀行はカードから引き落とされた金額とカード残高を通知される。こうすると、もしカードが紛失された場合、カード内の残高は前記使用者の銀行口座内に返金され、カードは無効になり、カード内に残っていた金額は取り消される。
【００８０】
本発明実施例では、取引サーバーが複数のアカウントの取引記録を保管する。例えば、使用者が３件の銀行に３つの口座を所有する場合、異なる金額をセキュリティカードに転送することができ、紛失或いは盗難の通報があった場合、前記取引サーバーは正確な金額を各銀行の対応する口座に返金する。
【００８１】
図４Ｆは本発明実施例中のセキュリティカードの使用方法を示すフローチャートである。
【００８２】
方法４００は、前記セキュリティカードを認証機の中に挿入或いは上に置くステップ４１０から始まる。続くステップ４１１Ｄでは前記使用者は１つの生体情報或いは複数の生体情報を提供或いは入力する。ステップ４１２では前記認証機器は入力された生体情報とセキュリティカード上に保存された生体情報を比較照合する。ステップ４１３で、入力された生体情報とセキュリティカード中に保存されたの緊急コードが合致した場合、適当なセキュリティ或いは関連機関に通知され、前記カードは無効にされる。例えば、前記使用者が保存したカードの順序が右手人差し指静脈紋、左手親指指紋、右手のひら静脈紋を正確な生体情報の組合せと順序とすると、強盗に遭うなど、緊急の状況では、使用者は別のデータの組合せや順序を入力でき、そこで警察は強盗事件の発生を通知されることになる。
【００８３】
図４Ｇは本発明実施例中のセキュリティカードの使用方法を示すフローチャートである。
【００８４】
図４Ｇで示されている方法４００と図４Ｆの実施例は類似している。しかしこの実施例中では、前記セキュリティカードはＡＴＭカード、デビットカード、或いはクレジットカードである。ステップ４１３では、もし入力された生体情報とセキュリティカードに保存された緊急コードが一致した場合、関連当局或いはセキュリティに通知され、偽の口座残高が表示される。例えば、前記使用者が現在１０，０００ドルを自分の口座内に持っていて、前記使用者は強盗に銃で脅されて自分の口座にアクセスしなくてはならないとき、もし従来のＡＴＭカードを使用すれば前記使用者は現在の口座残高を見られることになり、全額を損失するリスクにさらされ、或いは口座へのアクセスを拒否した場合に身体的被害を被る可能性がある。しかし、本発明を利用すれば、使用者は緊急コードの組合せと順序を用いてこの口座にアクセスし、偽の口座残高がスクリーン上に表示される。例えば、ＡＴＭは正確な残高１０，０００ドルを表示する代わりに、３２.８６ドルのような任意或いは事前に選択した金額が表示される。結果として、前記使用者は安全に口座にアクセスでき、強盗は前記口座にこれらの残高しか見当たらないために、多くても３２．８６ドルのみが引き出され、身体的被害のリスクにさらされることもない。
【００８５】
図５Ａは本発明実施例中のセキュリティカードの使用方法を示すフローチャートである。
【００８６】
図５Ａで示されている方法５００では、前記使用者はまずステップ５１１Ａで署名を提供する。ステップ５１２Ａでは、前記認証機器或いはレジ係が前記入力された署名とセキュリティカード内に保存された署名の比較照合を行う。もし保存された署名と入力された署名が不一致の場合、カードは拒否され、もし一致した場合は、ステップ５１３Ａで前記使用者は１つ或いは複数の生体情報を入力して提供する。前述したように、データはバイオデータ確認後初めてメモリー内から読み出される。例えば、生体情報確認前に署名の比較照合ができると、他のリーダーでカードの署名を読み取る前に前記署名が見え、書き方をコピーできてしまう。まず生体情報を確認して、それから署名をを比較照合すれば、カード所有者以外誰もこのカード使用することができない。
【００８７】
ステップ５１４Ａでは、前記認証機器は入力された生体情報と保存された生体情報の比較照合を行う。ステップ５１５Ａでは、入力された情報が保存された情報と一致した場合、前記使用者は権限を与えられる或いは認証される。もし両者のデータが不一致の場合、カードは拒否される。
【００８８】
この実施例では、前記使用者は生体情報を提供する前に署名を提供する必要がある。正しい署名が提供されるまで保存された生体情報がカードから読み出されないために、この実施例は強化された安全性を提供する。如何なる情報或いはデータをカード中に保存することの危険性は、この入力された情報と保存された情報を確認するために、この保存された情報を先に読み出す必要があることである。しかし、この実施例では、入力された生体情報と保存された生体情報が確認され、且つ署名も確認されてからでないと重要なデータは読み取り或いはアクセスができない。
【００８９】
図５Ｂは本発明実施例中のセキュリティカードの使用方法を示すフローチャートである。
【００９０】
図５Ｂで示される方法５００と図５Ａの実施例は類似している。しかし本発明のこの実施例では、生体情報確認の前或いは後、複数の異なるレベルの生体情報の入力が必須であり、その後重要なデータをカードから読み出すことができる。例えば、ステップ５１１Ｂでは、前記使用者はパスワード或いは個人識別番号を入力する。もし正しければ、ステップ５１３Ｂで使用者は、右手人差し指静脈紋のような２つ目のデータを入力する。そしてステップ５１４Ｂでは、この保存されたデータが一致したら、前記使用者は左手手のひら静脈紋のような別の生体情報を続けて入力する。もしこれも保存されたデータと一致したら、ステップ５１５Ｂでは、前記使用者はアクセス或いは活動を許可される。
【００９１】
本発明実施例では、前記使用者は自動的に情報を提供する。例えば、使用者が試しにセキュリティカードを使用するとき、前記使用者の体重がスケールで量られる。身長、体温、心拍、脈拍、網膜スキャン、靴のサイズ等のその他の情報を取得することもできる。こうして安全性を更に強化する。例えば、強盗に遭った時、強盗犯が使用者の横或いは背後に立てば使用者と強盗犯の体重の和は使用者自身の体重より重くなるので、保存された使用者の体重と現在の状況は一致せず、それ相応の手続が実行される。
【００９２】
１つのエリア内で個人の体重を検知することによって、１度に１人だけ１つのエリアに入ることができる。例えば、安全性の高い施設は、複数の人物が１枚のセキュリティカードを用いて同時に進入することは防がれる。
【００９３】
本発明実施例では、入力されたデータはテンポやリズムを含む。例えば、保存されたデータは歌或いはフレーズのテンポに基づいて選択されたものである。使用者が生体情報、キーコードの順序或いはパスワードを提供するとき、これらのデータは正しいテンポ或いはリズムで入力されなければならない。この実施例では、前記セキュリティカードを使用するために、使用者は正しい順序と正しいテンポやリズムを用いて正しく入力する必要がある。
【００９４】
本発明実施例では、前記認証機器は更に、入力用のフラットタッチスクリーンを含む。この実施例では、前記使用者は、図柄、形状、一続きの形状、文字、署名、単語、色、或いはこれらの組合せを入力する。例えば、使用者は青色の輪の次に黄色の三角形と“ｔｅｘｔｂｏｏｋ”という単語を続けて選択し、正しい順序と組合せを用いてこのセキュリティカードを使用することができる。
【００９５】
本発明のいくつかの１つの実施例では、複数の生体情報の入力が必要である。例えば、指紋と虹彩がスキャンされカード内に保存された生体情報と比較照合する。
【００９６】
本発明のもう１つの実施例では、生体情報を順番に入力する。例えば、まず右手人差し指指紋を入力し、次に左手中指指紋、その後右手親指の指紋を入力する。この実施例では、入力順序が、セキュリティカードを悪用しようとする時の複雑度を高めることになる。カード所有者だけがどのような入力順序に従えばよいかを知っている。
【００９７】
本発明実施例では、前記セキュリティカードは、クレジットカード、ＩＤカード、運転免許証、入室カード、従業員バッジ、パスポート、医療保険カード、ＡＴＭカード、銀行のカード、デビットカード、乗物用カード、公共交通機関のカード、全国ＩＤカード、メンバーカード、金庫或いはロッカーのキーを含む。
【００９８】
上述のように、この発明はカード所有者の生体情報を有するセキュリティカードを提供する。このセキュリティカードが使用されるとき、前記カード所有者は生体情報を入力提供し、これらの入力データとセキュリティカードに保存されたデータの比較照合が行われる。両者が一致すれば前記カード所有者の身分は確認されたことになる。こうして、前記カード所有者だけがこのセキュリティカードを使用できる。たとえこのカードが盗まれても、窃盗者はそれを使用することはできない。また、カード所有者だけがどのような生体情報の入力が必要かを知っている。
【００９９】
図６Ａは本発明実施例中の不正防止セキュリティカードを示す図であり、図６Ｂ、６Ｃは本発明実施例中の不正防止セキュリティカードの垂直断面図である。
【０１００】
図６Ａ〜６Ｃの実施例では、本発明の不正防止セキュリティカード６００は、カード本体６１０上に透明生体情報セクション６２０を含む。これらの実施例では、チップ或いはメモリーに前記使用者の生体情報を保存する必要はなく、前記使用者の生体情報は透明生体情報セクション６２０にエッチング或いはプリントされる。例えば、前記生体情報はカード本体６１０の前記透明生体情報セクション６２０内部或いは上に、レーザーエッチング、インクプリント、熱転写、型スタンプ、刻印、コンピュータ数値制御加工等が施される。
【０１０１】
図６Ｂの実施例では、前記生体情報パターンは、前記透明生体情報セクション６２０の上層表面上にエッチング或いはプリントされる。
【０１０２】
図６Ｃの実施例では、生体情報パターンのレーザーエッチング、インクプリント、熱転写、型スタンプ、刻印、コンピュータ数値制御加工等が前記透明生体情報パターンセクション６２０の内部に施される。これによりエッチング或いはプリントの磨耗を原因とする劣化を回避する。また、この生体情報を直接改ざんしようとする如何なる試みも回避する。
【０１０３】
本発明実施例では、生体情報パターンが作成される際、生体情報パターンの一部のみが作成される。例えば、指紋に関する生体情報パターンの半分或いは３０％のみが作成される。これにより、更にプライバシーや安全性が確保される。
【０１０４】
生体情報が代わりの生体情報によって再びエッチングされたり改ざんされたりした場合、例えば透明生体情報セクションの置換えを試みはカードリーダーで容易に検知される。例えば、カードリーダーは透明エリアとカード本体の不完全性、或いはエッチングの不完全性を検知できる。
【０１０５】
これらの実施例ではチップは使用されていないので、生体情報は集積回路から読み取られたり盗まれたりしない。その上、製造コストも減少する。
【０１０６】
本発明中いくつかの実施例では複数の透明生体情報セクションが提供されている。これにより生体情報の数種類の形態或いは手段がセキュリティカードに保存されるようになる。
【０１０７】
使用時は、使用者はカードをカードリーダーにかけ、生体情報をカードリーダー或いは生体情報スキャナー／リーダーに入力提供し、続けてカードリーダーは入力された使用者の生体情報とセキュリティカード上の透明生体情報セクションに保存された生体情報を比較する。
【０１０８】
入力された生体情報と保存された生体情報が一致すると、使用者の身分が確認されたことになり、前記カードを使用する許可が与えられる。逆に、もし両者が不一致の場合は、セキュリティカードは拒否され、許可も与えられない。
【０１０９】
図６Ｄは本発明実施例中の不正防止セキュリティカードを示す図である。
【０１１０】
図６Ｄの実施例では、不正防止セキュリティカード６００は更に、透明生体情報入力エリア６３０を含み、使用時には、使用者がカードリーダーにセキュリティカード６００を提供し、生体情報入力エリア６３０を通じて生体情報を入力提供し、図６Ａで述べられたように身分確認及び許可手続が実行される。
【０１１１】
図６Ｅは本発明の実施例中の不正防止セキュリティカードを示す図である。
【０１１２】
図６Ｅが示す本発明の不正防止セキュリティカード実施例では、透明生体情報入力エリアと透明生体情報入力セクションはカード本体６１０上で組み合わされて透明入力及び保存データセクション６２５を形成する。透明入力及び保存データセクション６２５の機能は、図６Ｄ中の２つの透明素子に似ているが、１つしかない透明入力及び保存データセクション６２５は２つの目的を同時に達成する必要がある。
【０１１３】
図６Ｆは本発明のもう１つの実施例中の不正防止セキュリティカードを示す図である。
【０１１４】
図６Ｆが示す本発明実施例では、不正防止セキュリティカードは、使用者の生体情報を保存するのに用いるＩＣチップ６４０を含む。この実施例では使用者の生体情報はチップ６４０に保存されるのと同様に、カード本体６１０の透明生体情報セクション６２０にも保存される。
【０１１５】
使用時は、使用者はセキュリティカード６００をカードリーダーにかけ、生体情報を入力提供する。入力された生体情報と透明生体情報セクション６２０に保存された生体情報が一致した場合は、カードリーダーはチップ６４０に保存された生体情報を読み取る。入力された生体情報とチップ６４０に保存された生体情報が一致した場合、使用者の身分が確認されたことになり、使用者がセキュリティカード６００を使用することを許可される。
【０１１６】
入力された生体情報、カードの透明生体情報セクションに保存された生体情報、或いはチップに保存された生体情報のどれか１つでも不一致な場合、カードリーダーは前記セキュリティカードを拒否し、使用者は前記カードを使用することができない。
【０１１７】
この実施例は、入力された生体情報とカードの透明生体情報セクションに保存された生体情報が一致してからでないとチップはアクセス或いは読み出しができないので、更に進んだ安全性を提供することになる。こうして１回目に許可を受けるのに成功する前にカードリーダーでデータが読み出されるのを回避できる。
【０１１８】
もう１つの実施例では、入力された生体情報、カードの透明生体情報セクションに保存された生体情報、及びチップに保存された生体情報は同時に読み取られ比較照合される。
【０１１９】
３つの生体情報を比較し、３つの生体情報すべてが一致しないと新しいデータをチップに上書きできない。
【０１２０】
図７は本発明のもう１つの実施例中の不正防止セキュリティカードを示す図である。
【０１２１】
図７の実施例で示された本発明の不正防止セキュリティカードは、カード６００の不正使用或いは改ざんを検知する能力を強化することによって、更に高いレベルの安全性を提供する。この実施例では、カード本体６１０の透明生体情報セクション６２０はカード本体６１０の各縁まで拡張している。結果として、カード６００の如何なる不正使用や改ざんの試みも容易に検知できる。例えば、窃盗者がもとの生体情報を取り除いて、新しい生体情報をエッチング及び置換えすることによって透明生体情報セクション６２０を置き換えることを試みた場合、透明セクションの不完全性が容易に検知され、カードは拒否される。こうしてチップを置き換えようとする如何なる試みも容易に検知される。
【０１２２】
その上、もし窃盗者が透明セクション全体を置き換えようとした場合、カード本体６１０の他の３つのセクションは分かれることになる。カード本体の４つのセクションを１つに接合するのが難しいだけでなく、カードの接合したエリアは容易に検知され、カードは拒否される。
【０１２３】
図８は本発明実施例中の導電片を備えた不正防止セキュリティカードを示す図である。
【０１２４】
図８の実施例における本発明の不正防止セキュリティカード６００は更に複数の導電片６５０を含む。これらの導電片６５０はセキュリティカード６００が大型集積回路に似た機能を果たすようにするものである。導電片６５０は出力且つ／或いは入力接点であり、カード６００が提供された時カードリーダーがアクセスできるようにする。
【０１２５】
図８に示された導電片６５０はカードの縁に位置し、本発明の実施例では他の配置或いは位置に設けられている。例えば、導電片はカードの一辺に位置する或いはカード表面にわたって配置されている。
【０１２６】
導電片６５０はセキュリティカード６００に更なるレベルの安全性を提供する。導電片６５０は、カードとカードリーダーが様々な機能を果たすようにさせる。例えば、ある導電片が時計の周波数を出力し、ある導電片は、別の導電片或いは地面に関して測定された時、一定の抵抗或いはキャパシタンスを有し、ある導電片はカードが機能するために一定の電圧レベルを必要とし、ある導電片は開いていて、ある導電片はダミーである等。こうしてカードリーダーがカードや使用者を認証するために様々なテストを実行できるようにする。
【０１２７】
本発明の実施例では、カードリーダーは、許可、認証、及び／或いは身分確認プロセスの間に、様々なテストを実行する。例えば、使用者が入力した生体情報がカードに保存された生体情報と一致することが確認された後、カードリーダーはカード上の導電片から入力及び／或いは出力を読み取る。各セキュリティカードは個々の使用者に合わせて異なる導電片の機能を含むので、カードリーダーはテストによって容易にカードを受け付けたり拒否したりできる。この実施例のセキュリティカードは各個別のカード使用者によって固有の機能を伴うコード化が成される。
【０１２８】
本発明の実施例では、チップは機能テストを補助するために提供される。
【０１２９】
本発明の実施例では、電子構成要素はセキュリティカード内部に位置する。
【０１３０】
結果として、電気回路、機能、或いはコードは、改ざん或いは知られることはできないため、電気的テストは窃盗者がカードを複製或いは改ざんするのを防止する。
【０１３１】
本発明の実施例では、チップ上に備えられた導電片は使用者の生体情報が保存されている。この実施例では、カードリーダーが生体情報にアクセスする前に、セキュリティカードは様々な電気的テストを通過しなければならない。
【０１３２】
本実施例では、使用者が不正をしている或いはカード使用を許可できないとカードリーダーが判断した場合、カードリーダーは電圧或いは電流をセキュリティカード上の適当な導電片に供給し、カード或いは電気回路を破損させ使用不可にする。
【０１３３】
図９Ａは本発明実施例中の複数のＩＣチップを備えた不正防止セキュリティカードを示す図である。
【０１３４】
図９Ａの実施例では、セキュリティカード６００は複数のＩＣチップ６４１、６４２を含む。この実施例では、チップ６４１、６４２は異なる機能を有する。例えば、１つのチップは使用者の生体情報を保存し、他のチップはセキュリティカードファームウェアを保存する。こうすることで、セキュリティカードが２つ目のチップ中のファームウェアに基づいたセキュリティテストを通過しないと、使用者の生体情報は１つ目のチップから読み出せない。或いは、１つのチップは使用者の生体情報セットを１つ保存し、もう１つのチップは別の使用者生体情報のセットを保存する。２つ目の生体情報のセットは、１つ目の生体情報セットが有効であることが確認されるまで読み取ることができない。
【０１３５】
図９Ｂは本発明実施例中のゲート階段ロジックで配列された複数のＩＣチップを備えた不正防止セキュリティカードを示す図である。
【０１３６】
図９Ｂの実施例では、セキュリティカードは、連続配列複数のＩＣチップ６５１〜６５６を含む。この配列では、チップ上の各機能は次のチップが有効になりアクセスされる前に確認されなければならない。
【０１３７】
各チップ６５１〜６５５は別々の機能を果たす。例えば、セキュリティ、ファームウェア、テスト、コード化、生体情報の保存、メモリー、許可レベル、アクセスレベル等。
【０１３８】
この配列は、ゲート階段ロジック方式で実行され、適当なキーが提供されるまではロックされたゲートによって次の階段（レベル）へのアクセスはブロックされる。もしプロセス実行中に適当なキーを提示できないときがある場合は、その先へは進めず、残りのチップにもアクセスできない。
【０１３９】
例えば、使用者は１つ目の生体情報入力をして、カードリーダーは、入力されたその生体情報が１つ目のチップに保存された生体情報と一致するのを確認する。そして、カードリーダーはセキュリティファームウェア或いは電気回路を含むセクションチップ上で様々な電気的テストを実行する。もしテスト結果が使用者の固有コードに一致したら、３つ目のチップが使用可能になる。そして使用者は２つ目の生体情報入力をして、カードリーダーは２つ目の生体情報入力が３つ目のチップに保存された生体情報と一致しないと判断したら、カードリーダーはそのカードを拒否し或いは無効にし、許可を与えない。このようにして、４つ目、５つ目、６つ目のチップは保護されてアクセスできない。
【０１４０】
図１０は本発明実施例中の複数の導電配線を備えた不正防止セキュリティカードを示す図である。
【０１４１】
図１０の実施例では、本発明のセキュリティカード６００はカード本体６１０の中に、複数の導電配線１０００、導電線、或いはナノワイヤーを含む。
【０１４２】
如何なるカードの改ざん、構成要素の置換え、切断、変更が試みられても、導電配線１０００はダメージを受け、カードリーダーはこれらの行為が行われたことを容易に検知でき、カードは拒否及び／或いは無効にされる。
【０１４３】
本発明のもう１つの実施例では、セキュリティカードは、カード本体の内部に導電層を含む。例えば導電性材料の層はカード内部で挟まれている。
【０１４４】
本発明の実施例では、導電配線がダメージを受けていないか判断するためにテストが行われる。
【０１４５】
本発明の実施例では、１つの生体情報テストが失敗したら、セキュリティカードは無効になるか操作不可となる。この実施例では、使用者は新しいカードを申し込むか、物理的に使用許可を請求しなくてはならない。他の実施例では、カードが無効になる前に、予め決められたテスト失敗の回数（ｐｒｅｄｅｔｅｒｍｉｎｅｄ  ｎｕｍｂｅｒ）が受け入れられる。
【０１４６】
本発明の実施例では、セキュリティカードはさらにＩＤタグを含む。例えばＲＦタグ、ＲＦＩＤタグ、或いはユビキタスＩＤ（Ｕｂｉｑｕｉｔｏｕｓ  ＩＤ）タグである。これによりカード所有者の位置が特定或いは追跡される。またこれにより、身分確認の間に使用される追加のＩＤ情報が保存される。
【０１４７】
本発明の実施例では、チップの異なる組合せ、エッチングエリア、透明生体情報入力エリア、導電片、導電配線、及び導電層が使用され、安全性と不正使用検知のレベルが引き上げられる。
【０１４８】
本発明の実施例では、セキュリティカードは長方形以外の形状から成る。例えば、セキュリティカードの形状は、円形、三角形、多角形、或いは正方形であったりする。
【０１４９】
本発明の実施例では、セキュリティカードをカードリーダーに置く正しい位置は、使用者だけが知っている。
【０１５０】
本発明の実施例では、カード本体の透明生体情報セクションに保存された生体情報は暗号化されている。例えば、生体情報は、パスワード、コード、或いは他の生体情報で暗号化されている。例えば、２つの生体情報入力はセキュリティアルゴリズムと共に使用され、透明セクションにエッチングされたイメージを形成する。使用者だけがどの２つの生体情報を入力するかを知っている。
【０１５１】
上述したのは本発明の好ましい実施例に過ぎず、本発明の実施範囲を限定するものではない。故に、本発明の示す精神に基づいて加えた変更や潤色は、本発明の特許請求の範囲内に含まれるものとする。
【符号の説明】
【０１５２】
１００  従来のクレジットカード
１１０  ロゴ
１２０  カード所有者氏名
１３０  カード番号
１４０  磁気帯
１５０  署名欄
１６０  署名
１７０  システム
１７１  カードリーダー
１７３  データベースを備えたセントラルサーバー
２００  セキュリティカード
２１０  ロゴ
２２０  カード所有者氏名
２３０  カード番号
２４０  メモリーチップ
２５０  磁気帯
２６０  署名欄
２７０  カード所有者氏名
２９０  透明入力エリア、第一透明入力エリア
２９１  第二透明入力エリア
６００  不正防止セキュリティカード
６１０  カード本体
６２０  生体情報セクション、生体情報パターンセクション
６２５  透明入力及び保存データセクション
６３０  透明生体情報入力エリア
６４０  ＩＣチップ
６４１、６４２  ＩＣチップ
６５０  導電片
６５１、６５２、６５３、６５４、６５５、６５６  ＩＣチップ
１０００  導電配線
【図１Ａ】
0005612332.tif 000002
【図１Ｂ】
0005612332.tif 000003
【図１Ｃ】
0005612332.tif 000004
【図１Ｄ】
0005612332.tif 000005
【図２Ａ】
0005612332.tif 000006
【図２Ｂ】
0005612332.tif 000007
【図２Ｃ】
0005612332.tif 000008
【図２Ｄ】
0005612332.tif 000009
【図２Ｅ】
0005612332.tif 000010
【図２Ｆ】
0005612332.tif 000011
【図２Ｇ】
0005612332.tif 000012
【図２Ｈ】
0005612332.tif 000013
【図２Ｉ】
0005612332.tif 000014
【図２Ｊ】
0005612332.tif 000015
【図２Ｋ】
0005612332.tif 000016
【図３】
0005612332.tif 000017
【図４Ａ】
0005612332.tif 000018
【図４Ｂ】
0005612332.tif 000019
【図４Ｃ】
0005612332.tif 000020
【図４Ｄ】
0005612332.tif 000021
【図４Ｅ】
0005612332.tif 000022
【図４Ｆ】
0005612332.tif 000023
【図４Ｇ】
0005612332.tif 000024
【図５Ａ】
0005612332.tif 000025
【図５Ｂ】
0005612332.tif 000026
【図６Ａ】
0005612332.tif 000027
【図６Ｂ】
0005612332.tif 000028
【図６Ｃ】
0005612332.tif 000029
【図６Ｄ】
0005612332.tif 000030
【図６Ｅ】
0005612332.tif 000031
【図６Ｆ】
0005612332.tif 000032
【図７】
0005612332.tif 000033
【図８】
0005612332.tif 000034
【図９Ａ】
0005612332.tif 000035
【図９Ｂ】
0005612332.tif 000036
【図１０】
0005612332.tif 000037